(57)【特許請求の範囲】
【請求項１】
第１〜第ｎ信号（ｎは自然数）がそれぞれ入力される第１〜第ｎ入力線と、
選択信号に応じて２入力の一方を各々選択する第１〜第（ｎ−１）選択部と、
前記第１信号が出力される第１出力線及び前記第１〜第（ｎ−１）選択部の出力信号がそれぞれ出力される第２〜第ｎ出力線と、を備え、
前記第１選択部の２入力中の第１の入力及び第２の入力には、前記第１信号及び前記第２信号がそれぞれ入力され、
前記第ｉ選択部（ｉは２〜（ｎ−１）の各整数）の２入力中の第１の入力及び第２の入力には、前記第（ｉ−１）選択部の出力信号及び前記第（ｉ＋１）信号がそれぞれ入力され、
各前記選択部は、前記選択信号により選択される場合に前記第２の入力を選択出力し、選択されない場合に前記第１の入力を選択出力する信号分配回路。
【請求項２】
前記第１〜第ｎ信号の各々が属するグループを１つずつ順次選択するグループ選択信号を生成するグループ選択信号生成部を備え、
各前記選択部は、前記グループ選択信号によって選択されないグループに属する信号が前記第２の入力として入力される場合に、前記第１の入力を選択出力する請求項１に記載の信号分配回路。
【請求項３】
前記第１〜第ｎ信号は、それぞれ第１番目〜第ｎ番目のスロットに格納されるデータを、それぞれエラスティックストアメモリへ書き込むため又はエラスティックストアメモリから読み出すための制御信号である請求項１に記載の信号分配回路。
【請求項４】
前記第１〜第ｎ信号は、それぞれ第１番目〜第ｎ番目のスロットに格納されるデータを、それぞれエラスティックストアメモリへ書き込むための書込イネーブル信号のカウント数である請求項３に記載の信号分配回路。
【請求項５】
前記第１〜第ｎ信号は、それぞれ第１番目〜第ｎ番目のスロットに格納されるデータを、それぞれエラスティックストアメモリへ書き込むための書込イネーブル信号のカウント数である請求項２に記載の信号分配回路。
【請求項６】
第１〜第ｎスロット（ｎは自然数）に格納されるデータをそれぞれ保持する第１〜第ｎエラスティックストアメモリと、
前記第１〜第ｎスロットに格納されるデータを前記第１〜第ｎエラスティックストアメモリへそれぞれ書き込むため又は前記第１〜第ｎエラスティックストアメモリからそれぞれ読み出すための制御信号である第１〜第ｎ信号を入力し、前記第１〜第ｎ信号を前記第１〜第ｎエラスティックストアメモリのために分配する信号分配部と、を備え、
前記信号分配部は、
前記第１〜第ｎ信号がそれぞれ入力される第１〜第ｎ入力線と、
選択信号に応じて２入力の一方を各々選択する第１〜第（ｎ−１）選択部と、
前記第１信号を前記第１エラスティックストアメモリのために出力する第１出力線及び前記第１〜第（ｎ−１）選択部の出力信号を第２〜第ｎエラスティックストアメモリのためにそれぞれ出力する第２〜第ｎ出力線と、を備え、
前記第１選択部の２入力中の第１の入力及び第２の入力には、前記第１信号及び前記第２信号がそれぞれ入力され、
前記第ｉ選択部（ｉは２〜（ｎ−１）の各整数）の２入力中の第１の入力及び第２の入力には、前記第（ｉ−１）選択部の出力信号及び前記第（ｉ＋１）信号がそれぞれ入力され、
各前記選択部は、前記選択信号により選択される場合に前記第２の入力を選択出力し、選択されない場合に前記第１の入力を選択出力する、スタッフィング制御装置。
【発明の詳細な説明】
【技術分野】
【０００１】
本明細書で論じられる実施態様は、複数の入力線から各々入力した信号を複数の出力線へ分配する信号分配回路に関する。
【背景技術】
【０００２】
通信回線網にはフレーム信号を伝送する伝送装置が配置される。伝送装置は、フレーム信号を他の形式のフレーム信号へ多重化し若しくは分離する、又はフレーム信号を他の形式のフレームへアッド（Add）し、若しくは他の形式のフレームからドロップ（Drop）する。以下の説明において、フレーム信号を単に「フレーム」と表記する。
【０００３】
図１は、伝送装置の構成例を示す図である。伝送装置１は、クライアント回線インタフェースユニット２、並びにネットワーク回線インタフェースユニット３−Ｅ及び３−Ｗを備える。以下の説明及び各図面において、回線インタフェースユニットを「ＬＩＵ」と表記することがある。
【０００４】
クライアントＬＩＵ２は、ローカルエリアネットワークに接続されたクライアント装置から送信されたフレームを受信し、フレームの宛先に応じてネットワークＬＩＵ３−Ｅ又は３−Ｗへ転送する。
【０００５】
ネットワークＬＩＵ３−Ｅは、ネットワークＬＩＵ３−Ｗから転送されたフレームを広域ネットワークへ送信するほか、クライアントＬＩＵ２から受信したフレームを広域ネットワークで伝送されるフレームにアッドする。また、ネットワークＬＩＵ３−Ｅは、広域ネットワークから受信したフレームに格納される信号をドロップして生成したフレームを、クライアントＬＩＵ２へ転送する。
【０００６】
ネットワークＬＩＵ３−Ｗは、ネットワークＬＩＵ３−Ｅから転送されたフレームを広域ネットワークへ送信するほか、クライアントＬＩＵ２から受信したフレームを広域ネットワークで伝送されるフレームにアッドする。また、ネットワークＬＩＵ３−Ｗは、広域ネットワークから受信したフレームに格納される信号をドロップして生成したフレームを、クライアントＬＩＵ２へ転送する。
【０００７】
例えば、クライアントＬＩＵ２は、ローカルエリアネットワークから受信した非同期フレームをＯＤＵｋフレームにマッピングして、ＯＤＵｋフレームをネットワークＬＩＵ３−Ｅ又は３−Ｗへ転送してよい。ネットワークＬＩＵ３−Ｅ及び３−Ｗは、クライアントＬＩＵ２から受信したＯＤＵｋフレームをより高速なＯＴＵフレームにマッピングして、広域ネットワークで伝送されるＯＴＵフレームへＯＤＵｋフレームをアッドしてよい。また、ネットワークＬＩＵ３−Ｅ及び３−Ｗは、広域ネットワークから受信したＯＴＵフレームからＯＤＵｋフレームをドロップし、クライアントＬＩＵ２へ転送してよい。
【０００８】
図２は、図１に示すクライアントＬＩＵ２の構成例を示す図である。クライアントＬＩＵ２は、光送受信部１０と、マッピング部１１と、デマッピング部１２と、クロスコネクト部１３を備える。
【０００９】
光送受信部１０は、クライアント装置から送信されローカルエリアネットワークを経由して伝送されたフレームを受信し電気信号に変換する。マッピング部１１は、受信されたフレームに格納されたクライアント信号を同期フレーム内へマッピングする。クロスコネクト部１３は、クライアント信号の宛先に応じて、同期フレームをネットワークＬＩＵ３−Ｅ及び３−Ｗのいずれかに出力するためのクロスコネクトを生成する。
【００１０】
クロスコネクト部１３は、ネットワークＬＩＵ３−Ｅ及び３−ＷからクライアントＬＩＵ２へ転送される同期フレームをデマッピング部１２へ出力するためのクロスコネクトを生成する。デマッピング部１２は、同期フレームに格納されたクライアントへの送信信号を抽出して光送受信部１０へ出力する。光送受信部１０は、抽出された信号を光信号へ変換してローカルエリアネットワークへ送信する。
【００１１】
図３は、図１に示すネットワークＬＩＵ３−Ｅの構成例を示す図である。ネットワークＬＩＵ３−Ｗも同様の構成を有する。ネットワークＬＩＵ３−Ｅは、クロスコネクト部１５、フレーマ１６、光送受信部１７及びデフレーマ１８を備える。
【００１２】
クロスコネクト部１５は、クライアントＬＩＵ２から転送される同期フレームをフレーマ１６へ出力するためのクロスコネクトを生成する。またクロスコネクト部１５は、ネットワークＬＩＵ３−ＥとＬＩＵ３−Ｗとの間で転送される同期フレームをネットワークＬＩＵ３−Ｗから受信するため又はネットワークＬＩＵ３−Ｗへ送信するためのクロスコネクトを生成する。
【００１３】
フレーマ１６は、クライアントＬＩＵ２から転送される同期フレームを、広域ネットワーク上で伝送されるより高速な同期フレームへマッピングする。光送受信部１７は、フレーマ１６により生成された同期フレームを光信号へ変換し、広域ネットワークへ送信する。
【００１４】
デフレーマ１８は、光送受信部１７が広域ネットワークから受信したフレームをより低速な同期フレームへデマッピングする。クロスコネクト部１５は、デマッピングされた同期フレームを、クライアントＬＩＵ２へ送信するためのクロスコネクトを生成する。
【００１５】
上記のマッピング部１１、デマッピング部１２、フレーマ１６及びデフレーマ１８は、出力フレームに挿入するスタッフを制御するスタッフィング制御部を備える。スタッフィング制御部は、入力データと出力データの間のデータ速度の差に応じて、出力フレームの挿入するスタッフ量と挿入位置を決定する。
【００１６】
図４は、スタッフィング制御部を備えたマッピング部１１の構成例を示す図である。マッピング部１１は、フレーム検出部２０と、スタッフィング制御部２１と、フレーム生成部２２を備える。デマッピング部１２、フレーマ１６及びデフレーマ１８も、以下に説明するスタッフィング制御部２１と同様のスタッフィング制御部を備えていてよい。
【００１７】
フレーム検出部２０は、入力されるフレームの検出又は同期検出を行い、入力フレーム内に格納される情報のうち、出力フレームに格納すべき情報が入力されるタイミングを知らせるタイミング信号をスタッフィング制御部２１に送信する。
【００１８】
スタッフィング制御部２１は、エラスティックストアメモリのような先入れ先出し（First-In First-Out）メモリ２３と、ＦＩＦＯ制御部２４を備える。ＦＩＦＯ制御部２４は、フレーム検出部２０から受信したタイミング信号に基づいて、入力フレームをＦＩＦＯメモリ２３に書き込む書込イネーブル信号を生成し、書込イネーブル信号に基づいて書込アドレスを生成する。
【００１９】
また、ＦＩＦＯ制御部２４は、ＦＩＦＯメモリ２３から送信データを読み出す読出アドレスを生成する。読出アドレスを生成する際に、ＦＩＦＯ制御部２４は、入力データと出力データの間のデータ速度の差と書込イネーブル信号の発生量に基づいて読出イネーブル信号の発生を調整することにより、スタッフの挿入量と挿入位置を制御する。
【００２０】
フレーム生成部２２は、スタッフィング制御部２１により読み出されたデータを同期フレームに格納する。
【００２１】
同期フレームのペイロードは、「スロット」と呼ばれる所定のデータ量のデータ格納領域に分割される。各スロットは、１つのクライアント信号がマッピングされる格納領域の最小単位として使用される。このようなスロットの例として、ＩＴＵ−Ｔ（International Telecommunication Union Telecommunication Standardization Sector）で標準化されるＯＰＵ（Optical channel payload unit）ｋフォーマットで使用される「トリビュタリースロット」が挙げられる。図５は、トリビュタリースロットの説明図である。
【００２２】
ＯＰＵｋフレームは、オーバヘッド部、ペイロード部を含む。オーバヘッド部は、第１列目〜第１６列目の１６バイト×４行のフレームサイズを有し、接続および品質の管理に用いられる。ペイロード部は、第１７列目〜第３８２４列目の３８０８バイト×４行のフレームサイズを有する。
【００２３】
図５は、ペイロード部が、トリビュタリースロットＴＳ１〜ＴＳ８０からなる８０個のトリビュタリースロットに分割される場合のフレーム構成例を示す。第１７列目、第９７列目、第１７７列目…の領域が、トリビュタリースロットＴＳ１のために使用される。また、第１８列目、第９８列目、第１７８列目…の領域が、トリビュタリースロットＴＳ２のために使用される。以下同様に、第１９列目、第９９列目、第１７９列目…の領域が、トリビュタリースロットＴＳ３のために使用され、第９６列目、第１７６列目、第２５６列目…の領域が、トリビュタリースロットＴＳ８０のために使用される。
【００２４】
図６は、図４に示すスタッフィング制御部２１の従来の構成例を示す図である。各スロットにそれぞれ異なるクライアント信号が格納できるように、ＦＩＦＯメモリへの書き込み及び読み出し並びにスタッフの挿入は、スロット毎に行われる。図６に示す構成例は、ペイロード部がｎ個のスロットに分割される場合に対応する。
【００２５】
スタッフィング制御部２１は、第１ＦＩＦＯ２３−１〜第ｎＦＩＦＯ２３−ｎと、第１書込アドレス生成部２５−１〜第ｎ書込アドレス生成部２５−ｎと、第１Ｃｍ算出部２６−１〜第ｎＣｍ算出部２６−ｎを備える。また、スタッフィング制御部２１は、第１読出イネーブル生成部２７−１〜第ｎ読出イネーブル生成部２７−ｎと、第１読出アドレス生成部２８−１〜第ｎ読出アドレス生成部２８−ｎを備える。
【００２６】
第１ＦＩＦＯ２３−１〜第ｎＦＩＦＯ２３−ｎは、それぞれ出力フレームの第１番目〜第ｎ番目のスロットに格納するクライアント信号を格納する。第１番目〜第ｎ番目のスロットに格納されるクライアント信号を、それぞれ第１クライアント信号〜第ｎクライアント信号と表記することがある。
【００２７】
第１書込アドレス生成部２５−１〜第ｎ書込アドレス生成部２５−ｎは、フレーム検出部２０から受信したタイミング信号に基づき生成された、第１クライアント信号〜第ｎクライアント信号を第１ＦＩＦＯ２３−１〜第ｎＦＩＦＯ２３−ｎへ書き込むための書込イネーブル信号ＷＥＮ１〜ＷＥＮｎを、それぞれ入力する。
【００２８】
第１書込アドレス生成部２５−１〜第ｎ書込アドレス生成部２５−ｎは、書込イネーブル信号ＷＥＮ１〜ＷＥＮｎに基づいて、第１クライアント信号〜第ｎクライアント信号を書き込むための書込アドレスをそれぞれ生成する。第１書込アドレス生成部２５−１〜第ｎ書込アドレス生成部２５−ｎは、生成したアドレスによって第１ＦＩＦＯ２３−１〜第ｎＦＩＦＯ２３−ｎの書込アドレスを指定する。
【００２９】
第１Ｃｍ算出部２６−１〜第ｎＣｍ算出部２６−ｎは、書込イネーブル信号ＷＥＮ１〜ＷＥＮｎを、それぞれ入力する。第１Ｃｍ算出部２６−１〜第ｎＣｍ算出部２６−ｎは、書込イネーブル信号ＷＥＮ１〜ＷＥＮｎの発生数をカウントする。以下の説明において、書込イネーブル信号のカウント数を「Ｃｍ値」と表記することがある。第１Ｃｍ算出部２６−１〜第ｎＣｍ算出部２６−ｎは、各々算出したＣｍ値を、第１読出イネーブル生成部２７−１〜第ｎ読出イネーブル生成部２７−ｎへ出力する。
【００３０】
第１読出イネーブル生成部２７−１〜第ｎ読出イネーブル生成部２７−ｎは、各々受信したＣｍ値と、入力データと出力データの間のデータ速度の差に基づいてスタッフの挿入量と挿入位置を決定する。
【００３１】
第１読出イネーブル生成部２７−１〜第ｎ読出イネーブル生成部２７−ｎは、例えば、ＧＭＰ（Generic Mapping procedure）に従うＧＭＰ演算を用いて、スタッフの挿入量と挿入位置を決定してよい。第１読出イネーブル生成部２７−１〜第ｎ読出イネーブル生成部２７−ｎは、決定したスタッフの挿入位置に応じて、第１クライアント信号〜第ｎクライアント信号を第１ＦＩＦＯ２３−１〜第ｎＦＩＦＯ２３−ｎから読み出すための読出イネーブル信号をそれぞれ生成する。第１読出イネーブル生成部２７−１〜第ｎ読出イネーブル生成部２７−ｎは、それぞれ第１読出アドレス生成部２８−１〜第ｎ読出アドレス生成部２８−ｎへ読出イネーブル信号を出力する。
【００３２】
第１読出アドレス生成部２８−１〜第ｎ読出アドレス生成部２８−ｎは、受信した読出イネーブル信号に基づいて、第１クライアント信号〜第ｎクライアント信号を読み出すための読出アドレスをそれぞれ生成する。
【００３３】
上述のスタッフィング制御部２１において、第１ＦＩＦＯ２３−１〜第ｎＦＩＦＯ２３−ｎの書込制御又は読出制御のための制御信号が、各スロット間で共用される場合がある。このような制御信号として、例えば、書込イネーブル信号、書込アドレス、Ｃｍ値、読出イネーブル信号及び読出アドレスが挙げられる。
【００３４】
例えば、上述のＧＭＰでは、１つのクライアント信号を複数のトリビュタリースロットにマッピングすることができる。ここで、以下の説明において、１フレーム中におけるスロット番号の繰り返しの１周期分のスロットのグループを「繰り返し単位グループ」と表記する。例えば、図５に示すフレーム構成例では、第１７行目〜第９６行目のトリビュタリースロットＴＳ１〜ＴＳ８０が１つの１つの繰り返し単位グループを形成し、第９７行目〜第１７６行目のトリビュタリースロットＴＳ１〜ＴＳ８０が１つの繰り返し単位グループを形成する。
【００３５】
また、同じクライアント信号を格納する複数のスロットからなるスロットのグループを、「スロットグループ」と表記する。１クライアント信号を複数トリビュタリースロットにマッピングする場合には、１つの繰り返し単位グループ内の１つのスロットグループに属するスロットの内容が、全てデータであるか又は全てスタッフとなるように、スタッフの挿入位置が制御される。すなわち、同一スロットグループに属する各トリビュタリースロットのスタッフの挿入位置は同期している。
【００３６】
スタッフィング制御部２１では、このように１スロットグループ内の複数スロット間でスタッフの挿入位置を同期させるために、１スロットグループ内のいずれかのスロットのための制御信号を、スロットグループ内で分配するための信号分配回路が使用される。この信号分配回路は、ｎ対の入力線及び出力線を有し（ｎは自然数）、ｎ対の入力線及び出力線がグループ分けされた場合に、各グループ内のいずれかの入力線への入力信号を同一グループ内の全ての出力線に分配するように構成される。以下、例としてＣｍ値を分配する場合について説明する。
【００３７】
図７は、Ｃｍ値を分配するための従来の信号分配回路の説明図である。信号分配回路は、セレクタ２９−２〜２９−ｎを備える。セレクタ２９−２〜２９−ｎは、第１Ｃｍ算出部２６−１〜第ｎＣｍ算出部２６−ｎが算出したＣｍ値であるＣｍ１〜Ｃｍｎを、第１入力〜第ｎ入力として入力する。以下の説明及び図面において「セレクタ」を「ＳＥＬ」と表記することがある。
【００３８】
セレクタ２９−２〜２９−ｎは、メンバ指示情報ＭＮ及びマスタ指示情報ＭＳに従って、Ｃｍ１〜Ｃｍｎの中のいずれか１つのＣｍ値を選択して、第２読出イネーブル生成部２７−２〜第ｎ読出イネーブル生成部２７−ｎへそれぞれ出力する。第１読出イネーブル生成部２７−１へは、第１Ｃｍ算出部２６−１が算出したＣｍ１が入力される。
【００３９】
メンバ指示情報ＭＮは、各スロットグループの属するスロットを指定する情報である。図８は、メンバ指示情報ＭＮの構成例の説明図である。図示の例では、トリビュタリースロットの上限が８０である場合のメンバ指示情報ＭＮの構成例を示す。メンバ指示情報ＭＮの上位第（ｉ−１）×８０＋１〜第（ｉ×８０）ビットが、第ｉ番目のトリビュタリースロットのための情報である。
【００４０】
上位第（ｉ−１）×８０＋ｊビットの値が「１」であれば、第ｊ番目のトリビュタリースロットが第ｉ番目のトリビュタリースロットと同じ各スロットグループに属することを示す。上位第（ｉ−１）×８０＋ｊビットの値が「０」であれば、第ｊ番目のトリビュタリースロットが第ｉ番目のトリビュタリースロットと異なる各スロットグループに属することを示す。
【００４１】
図示の例では、トリビュタリースロットＴＳ１が属するスロットグループには、ＴＳ５、ＴＳ８及びＴＳ７９が属している。また、トリビュタリースロットＴＳ４が属するスロットグループには、ＴＳ７及びＴＳ８０が属している。
【００４２】
図９は、マスタ指示情報ＭＳの構成例の説明図である。マスタ指示情報ＭＳは、各スロットグループのマスタスロットを指示する。信号分配回路は、マスタスロットについて入力された制御信号を、スロットグループ内で分配する。マスタスロットでないスロットを「スレーブスロット」と表記することがある。
【００４３】
図示の例では、トリビュタリースロットの上限が８０である場合のマスタ指示情報ＭＳの構成例を示す。上位第ｉビットの値が「１」であれば、第ｉ番目のスロットはマスタスロットであり、上位第ｉビットの値が「０」であれば、第ｉ番目のスロットはスレーブスロットである。図示の例では、トリビュタリースロットＴＳ１、ＴＳ４及びＴＳ９がマスタスロットとして指定されている。
【００４４】
図７を参照する。ＳＥＬ２９−ｉ（ｉは２〜ｎまでの整数）は、マスタ指示情報ＭＳが第ｉ番目のスロットをマスタスロットとして指定している場合には、Ｃｍｉを第ｉ読出イネーブル生成部２７−ｉに出力する。
【００４５】
第ｉ番目のスロットがスレーブスロットである場合には、ＳＥＬ２９−ｉは、第ｉ番目のスロットと同じスロットグループに属するマスタスロットである第ｊ番目のスロットについて算出されたＣｍｊを第ｉ読出イネーブル生成部２７−ｉに出力する。
【００４６】
なお、複数データから複数ワードのデータの読出しを行う際、回路規模を大幅に低減できるセレクタ回路が提案されている。このセレクタ回路は、読み出すデータのポインタデータを出力するポインタカウンタと、ポインタカウンタからのポインタデータに基づいて読み出したいデータの先頭位置とワード数分のポインタ値を生成するデータ選択回路と、ワード数分のセレクタを有し、入力される複数のデータをデータ選択回路からのポインタ値に基づいてセレクタ毎に分割した選択データを出力する前段セレクタ群と、ポインタカウンタからのポインタデータに基づいて選択データを読み出す順番を選択するための順番選択回路と、前段セレクタ群から出力される選択データを順番選択回路からの出力に基づいて並べ替えて出力する後段セレクタ２を備える。
【先行技術文献】
【特許文献】
【００４７】
【特許文献１】特開２００４−６２５８８号公報
【発明の概要】
【発明が解決しようとする課題】
【００４８】
従来の信号分配回路では、ｎ本の入力線から入力される信号を選択するためにｎ：１セレクタを使用していたために回路規模が大きくなるという問題があった。実施態様に係る装置は、信号分配回路の回路規模を低減することを目的とする。
【課題を解決するための手段】
【００４９】
１つの実施形態による信号分配回路は、第１〜第ｎ信号（ｎは自然数）がそれぞれ入力される第１〜第ｎ入力線と、選択信号に応じて２入力の一方を各々選択する第１〜第（ｎ−１）選択部と、第１信号が出力される第１出力線及び第１〜第（ｎ−１）選択部の出力信号がそれぞれ出力される第２〜第ｎ出力線と、を備える。第１選択部の２入力中の第１の入力及び第２の入力には、第１信号及び第２信号がそれぞれ入力され、第ｉ選択部（ｉは２〜（ｎ−１）の各整数）の２入力中の第１の入力及び第２の入力には、第（ｉ−１）選択部の出力信号及び第（ｉ＋１）信号がそれぞれ入力される。各選択部は、選択信号により選択される場合に第２の入力を選択出力し、選択されない場合に第１の入力を選択出力する。
【００５０】
他の実施形態によるスタッフィング制御装置は、第１〜第ｎスロット（ｎは自然数）に格納されるデータをそれぞれ保持する第１〜第ｎエラスティックストアメモリと、信号分配部を備える。この信号分配部は、第１〜第ｎスロットに格納されるデータを第１〜第ｎエラスティックストアメモリへそれぞれ書き込むため又は第１〜第ｎエラスティックストアメモリからそれぞれ読み出すための制御信号である第１〜第ｎ信号を入力し、第１〜第ｎ信号を第１〜第ｎエラスティックストアメモリのために分配する。この信号分配部は、第１〜第ｎ信号がそれぞれ入力される第１〜第ｎ入力線と、選択信号に応じて２入力の一方を各々選択する第１〜第（ｎ−１）選択部と、第１信号を第１エラスティックストアメモリのために出力する第１出力線及び第１〜第（ｎ−１）選択部の出力信号を第２〜第ｎエラスティックストアメモリのためにそれぞれ出力する第２〜第ｎ出力線と、を備える。第１選択部の２入力中の第１の入力及び第２の入力には、第１信号及び第２信号がそれぞれ入力され、第ｉ選択部（ｉは２〜（ｎ−１）の各整数）の２入力中の第１の入力及び第２の入力には、第（ｉ−１）選択部の出力信号及び第（ｉ＋１）信号がそれぞれ入力され、各選択部は、選択信号により選択される場合に第２の入力を選択出力し、選択されない場合に第１の入力を選択出力する。
【発明の効果】
【００５１】
本件開示の装置によれば、信号分配回路の回路規模を低減することが可能となる。
【図面の簡単な説明】
【００５２】
【図１】伝送装置の構成例を示す図である。
【図２】図１に示すクライアントＬＩＵの構成例を示す図である。
【図３】図１に示すネットワークＬＩＵの構成例を示す図である。
【図４】図２に示すマッピング部の構成例を示す図である。
【図５】トリビュタリースロットの説明図である。
【図６】図４に示すスタッフィング制御部の従来の構成例を示す図である。
【図７】Ｃｍ値を分配するための従来の信号分配回路の説明図である。
【図８】メンバ指示情報ＭＮの構成例の説明図である。
【図９】マスタ指示情報ＭＳの構成例の説明図である。
【図１０】信号分配回路の第１の構成例の説明図である。
【図１１】信号分配回路の第２の構成例の説明図である。
【図１２】グループ情報ＧＰの構成例の説明図である。
【図１３】図１１に示す信号分配回路の動作の説明図である。
【発明を実施するための形態】
【００５３】
以下、添付する図面を参照して本発明の実施例について説明する。図１０は、信号分配回路の第１の構成例の説明図である。信号分配回路３０は、例えば、図２に示すマッピング部１１及びデマッピング部１２、並びに図３に示すフレーマ１６及びデフレーマ１８にて設けられるスタッフィング制御部に配置される。
【００５４】
信号分配回路３０は、第１入力線３１−１〜第ｎ入力線３１−ｎと、第１出力線３２−１〜第ｎ出力線３２−ｎと、第２ＳＥＬ３３−２〜第ｎＳＥＬ３３−ｎを備える。第１入力線３１−１及び第１出力線３２−１、第２入力線３１−２及び第２出力線３２−２、…第ｎ入力線３１−ｎ及び第ｎ出力線３２−ｎはそれぞれ対をなし、ｎ対の入力線及び出力線を形成する。
【００５５】
なお、本実施例において第２ＳＥＬ３３−２〜第ｎＳＥＬ３３−ｎは、特許請求の範囲に記載される第１選択部〜第（ｎ−１）選択部の一例として挙げられる。
【００５６】
図１０に示す構成例では、信号分配回路３０は、第１Ｃｍ算出部２６−１〜第ｎＣｍ算出部２６−ｎが算出したＣｍ値であるＣｍ１〜Ｃｍｎを入力し、複数のスロット間に１つのＣｍ値を分配する。
【００５７】
信号分配回路３０は、第１入力線３１−１〜第ｎ入力線３１−ｎにてＣｍ１〜Ｃｍｎを入力する。第１出力線３２−１〜第ｎ出力線３２−ｎからの出力信号は、第１読出イネーブル生成部２７−１〜第ｎ読出イネーブル生成部２７−ｎに入力される。
【００５８】
以下に説明するＣｍ値の分配と同様に、信号分配回路３０は、あるスロットについて生成された書込イネーブル信号、書込アドレス、読出イネーブル信号及び読出アドレスのいずれかを、複数のスロット間に分配してもよい。また、信号分配回路３０は、あるスロットのデータを、複数のスロット間に分配する回路であってもよい。
【００５９】
第１出力線３２−１からは第１信号としてのＣｍ１が出力される。第２出力線３２−２〜第ｎ出力線３２−ｎからは第２ＳＥＬ３３−２〜第ｎＳＥＬ３３−ｎの出力信号がそれぞれ出力される。各ＳＥＬ３３−２〜３３−ｎは、第１の入力及び第２の入力である２入力を有し、選択信号に応じて２入力の一方を各々選択する２：１セレクタである。
【００６０】
第２ＳＥＬ３３−２の第１の入力及び第２の入力には、Ｃｍ１及び第２信号としてのＣｍ２が入力される。第ｉＳＥＬ３３−ｉ（ｉは３〜ｎの整数）の第１の入力及び第２の入力には、第（ｉ−１）ＳＥＬ３３−（ｉ−１）の出力信号と第ｉ信号としてのＣｍｉが入力される。したがって信号分配回路３０は、第（ｉ−１）ＳＥＬ３３−（ｉ−１）の出力が第ｉＳＥＬ３３−ｉの第１の入力に接続されるカスケード接続を有する（ｉは３〜ｎの整数）。
【００６１】
各ＳＥＬ３３−２〜３３−ｎには、選択信号が与えられる。選択信号は、各ＳＥＬ３３−２〜３３−ｎのうちいずれかを選択する信号である。選択信号は、複数個のＳＥＬを選択してもよい。各ＳＥＬ３３−２〜３３−ｎは、選択信号により選択される場合に第２の入力を選択して、第２出力線３２−２〜第ｎ出力線３２−ｎへ出力する。各ＳＥＬ３３−２〜３３−ｎは、選択信号により選択されない場合に第１の入力を選択して、第２出力線３２−２〜第ｎ出力線３２−ｎへ出力する。
【００６２】
以下、第１入力線３１−１及び第１出力線３２−１の対、第２入力線３１−２及び第２出力線３２−２の対、…第ｎ入力線３１−ｎ及び第ｎ出力線３２−ｎの対を、それぞれ「第１信号線対」、「第２信号線対」、…「第ｎ信号線対」と表記する。
【００６３】
いま、例えばｎ個の信号線対が３つのグループに分割される場合を考える。第１グループは、第１信号線対〜第（ｉ−１）信号線対を含む。第２グループは、第ｉ信号線対〜第（ｊ−１）信号線対を含む。第３グループは、第ｊ信号線対〜第ｎ信号線対を含む。ｉは１より大きい整数であり、ｊはｉよりも大きい整数である。このとき選択信号は、第ｉＳＥＬ３３−ｉ及び第ｊＳＥＬ３３−ｊを選択する。
【００６４】
第２ＳＥＬ３３−２〜第（ｉ−１）ＳＥＬ３３−（ｉ−１）は、第１の入力を選択する。この結果、第１グループの出力線３２−１〜３２−（ｉ−１）から共通の値Ｃｍ１が出力される。
【００６５】
一方で、第ｉＳＥＬ３３−ｉは、第２の入力を選択する。したがって第ｉ出力線３２−ｉからはＣｍｉが出力される。第（ｉ＋１）ＳＥＬ３３−（ｉ＋１）〜第（ｊ−１）ＳＥＬ３３−（ｊ−１）は、第１の入力を選択する。この結果、第２グループの出力線３２−ｉ〜３２−（ｊ−１）から共通の値Ｃｍｉが出力される。
【００６６】
第ｉＳＥＬ３３−ｊは、第２の入力を選択する。また、第（ｊ＋１）ＳＥＬ３３−（ｊ＋１）〜第ｎＳＥＬ３３−ｎは、第１の入力を選択する。この結果、第３グループの出力線３２−ｊ〜３２−ｎから共通の値Ｃｍｊが出力される。
【００６７】
したがって信号分配回路３０は、以下の条件（１）が満たされる場合に、信号線対の各グループにおいて、各グループ中で最小の序数ｉの第ｉ入力線へ入力した信号を同一グループ内の全ての出力線に分配する。
【００６８】
（１）各グループに属する第ｉ入力線及び第ｉ出力線の序数ｉが連続する。すなわち、第ｉＳＥＬ３３−ｉが選択されないとき、第ｉ信号線対は第（ｉ−１）信号線対と同一グループに属する。
【００６９】
図１０の構成例においてスロットグループに属するトリビュタリースロットのスロット番号が連続するようにスロットグループを定めれば、Ｃｍ値をスロットグループ毎に分配する信号分配回路として信号分配回路３０を使用することができる。このとき、ＳＥＬ３３−２〜３３−ｎの選択信号としてマスタ指示情報ＭＳを使用してよい。マスタ指示情報ＭＳは、各スロットグループ中で最もスロット番号が小さいトリビュタリースロットを、マスタスロットとして指定する。
【００７０】
本実施例による信号分配回路３０は、上述の第２ＳＥＬ３３−２〜第ｎＳＥＬ３３−ｎのカスケード接続によって、任意の連続する複数の信号線対の出力線に同一の入力信号を分配することができる。このため本実施例によれば、従来の信号分配回路で使用されていたｎ：１セレクタに代えて、２：１セレクタを使用して信号分配回路を実現することができる。入力線及び信号線の数ｎが２よりも大きければ、セレクタの回路規模を小さくすることができ、信号分配回路の回路規模を低減することが可能となる。
【００７１】
また本実施例の信号分配回路３０は、常時、各グループ中で最小の序数ｉの第ｉ入力線へ入力した信号を各グループの出力線から出力することが可能である。このため、本実施例の信号分配回路３０は、Ｃｍ値のように更新間隔が比較的長くてよい信号だけでなく、書込イネーブル信号、書込アドレス、読出イネーブル信号、読出アドレス及びデータを分配するために使用できる。
【００７２】
図１１は、信号分配回路の第２の構成例の説明図である。図１０に示す構成要素と同一の構成要素には、図１０にて使用した参照符号と同一の参照符号を付する。また図１１の実施例は、入力線及び出力線の対の数がｎ＝８０の場合に対応する。
【００７３】
本実施例の信号分配回路３０は、トリビュタリースロットＴＳ１〜８０に関して第１Ｃｍ算出部２６−１〜第８０Ｃｍ算出部２６−８０が算出したＣｍ１〜Ｃｍ８０を入力する。信号分配回路３０は、各スロットグループのマスタスロットについて入力したＣｍ値を、同じスロットグループに属するトリビュタリースロットＴＳｉに関する読出イネーブルを生成する第ｉ読出イネーブル生成部２７−ｉに分配する。
【００７４】
信号分配回路３０は、第１入力線３１−１〜第８０入力線３１−８０にてＣｍ１〜Ｃｍ８０を入力する。第１出力線３２−１〜第８０出力線３２−８０からの出力信号は、第１読出イネーブル生成部２７−１〜第８０読出イネーブル生成部２７−８０に入力される。
【００７５】
信号分配回路３０は、第１ＳＥＬ３３−１と、カウント情報生成部３４と、比較部３５−１〜３５−８０と、判定部３６−１〜３６−８０を備える。第１ＳＥＬ３３−１は、第１の入力及び第２の入力である２入力を有し、選択信号に応じて２入力の一方を各々選択する２：１セレクタである。第１ＳＥＬ３３−１の第１の入力及び第２入力にはＣｍ１が入力される。
【００７６】
カウント情報生成部３４は、１からｍ（ｍは自然数）までの整数値を巡回するグループ選択信号を生成する。自然数ｍは、スロットグループの数が取り得る最大値であり、例えばトリビュタリースロットの番号の最大値であってよい。グループ選択信号は、各スロットグループを順次選択するために使用される。
【００７７】
比較部３５−ｉは（ｉ＝１〜８０）、グループ情報ＧＰ−ｉと現在のグループ選択信号とを比較する。グループ情報ＧＰ−ｉは、第ｉ番目のトリビュタリースロットＴＳｉが属するスロットグループを指定する情報である。図１２は、グループ情報ＧＰの構成例の説明図である。グループ情報ＧＰ−ｉは７ビットを有し、トリビュタリースロットＴＳｉが属するスロットグループの番号を指定する。
【００７８】
図１１を参照する。比較部３５−ｉは、グループ情報ＧＰ−ｉと現在のグループ選択信号が同一であるとき、トリビュタリースロットＴＳｉについてのＣｍ値を更新するための更新イネーブル信号を生成する。すなわち、比較部３５−ｉはトリビュタリースロットＴＳｉが属するスロットグループがグループ選択信号によって選択されている場合に、更新イネーブル信号を生成する。比較部３５−ｉは、更新イネーブル信号を判定部３６−ｉ及び第ｉ読出イネーブル生成部２７−ｉへ出力する。
【００７９】
判定部３６−ｉは、比較部３５−ｉからの更新イネーブル信号とマスタ指示情報ＭＳを入力する。判定部３６−ｉは、比較部３５−ｉから更新イネーブル信号が出力され、かつＴＳｉがマスタスロットであるとき、第ｉＳＥＬ３３−ｉが第２の入力を選択する選択信号を生成する。すなわち判定部３６−ｉは、トリビュタリースロットＴＳｉが属するスロットグループがグループ選択信号によって選択されており、かつＴＳｉがマスタスロットであるとき、第ｉＳＥＬ３３−ｉが第２の入力を選択する選択信号を生成する。選択信号は、第ｉＳＥＬ３３−ｉに入力される。
【００８０】
それ以外の場合に判定部３６−ｉは、第ｉＳＥＬ３３−ｉが第１の入力を選択する選択信号を生成する。したがって、第ｉＳＥＬ３３−ｉの第２の入力Ｃｍｉが、グループ選択信号によって選択されないグループに属するスロット用のＣｍ値であるとき、第ｉＳＥＬ３３−ｉは、第１の入力を選択する。
【００８１】
第ｉ読出イネーブル生成部２７−ｉは、比較部３５−ｉからの更新イネーブル信号が生成されるとき、読出イネーブル信号の生成に使用するＣｍｉを、出力線３２−ｉからの出力値に更新する。第ｉ読出イネーブル生成部２７−ｉは、更新イネーブル信号を受信しなければ読出イネーブル信号の生成に使用するＣｍｉを更新しない。
【００８２】
続いて、信号分配回路３０の動作を説明する。図１３は、図１１に示す信号分配回路３０の動作の説明図である。図１３に示す信号のタイミングチャートにおいて、信号ＣＬＫは、信号分配回路３０を動作させるためのクロック信号を示し、信号ＣＮはグループ選択信号を示す。第１信号〜第８０信号は、それぞれ入力線３１−１〜３１−８０に入力されるトリビュタリースロットＴＳ１〜８０について計算されたＣｍ値を示す。
【００８３】
スロットグループ１にトリビュタリースロットＴＳ２、ＴＳ４及びＴＳ８０が属し、スロットグループ３にトリビュタリースロットＴＳ１及びＴＳ３が属し、スロットグループ５にトリビュタリースロットＴＳ５及びＴＳ７９が属する場合を想定する。図１３において、第１信号〜第８０信号が属するスロットグループが括弧書きの数字で示される。
【００８４】
各スロットグループにおいて、スロット番号が一番小さいトリビュタリースロットがマスタスロットとして指定されている。したがってスロットグループ１、３及び５のマスタスロットは、それぞれＴＳ２、ＴＳ１及びＴＳ５である。各マスタスロットＴＳ２、ＴＳ１及びＴＳ５について入力線３１−２、３１−１及び３１−５に現在入力されているＣｍ値は、それぞれ「２００」、「１００」及び「３００」である。
【００８５】
時刻ｔ１においてグループ選択信号がスロットグループ１を選択するとき、第２ＳＥＬ３３−２のみが第２の入力を選択し、その他のセレクタは第１の入力を選択する。この結果、第１出力線３２−１からはＣｍ１である「１００」が出力され、その他の出力線３２−２〜３２−８０からは、マスタスロットＴＳ２のために算出されたＣｍ２である「２００」が出力される。
【００８６】
読出イネーブル信号の生成に使用するＣｍ値を更新する更新イネーブル信号は、スロットグループ１に属するＴＳ２、ＴＳ４及びＴＳ８０のための読出イネーブル生成部２７−２、２７−４及び２７−８０にのみ与えられる。したがって、読出イネーブル生成部２７−２、２７−４及び２７−８０のみが、読出イネーブル信号の生成に使用するＣｍ値を、マスタスロットＴＳ２のために算出された値「２００」に更新し、その他の読出イネーブル生成部はＣｍ値を更新しない。
【００８７】
時刻ｔ２においてグループ選択信号がスロットグループ３を選択する。第１ＳＥＬ３３−１のみが第２の入力を選択し、その他のセレクタは第１の入力を選択する。この結果、すべての第１出力線３２−１〜３２−８０からＣｍ１である「１００」が出力される。
【００８８】
更新イネーブル信号は、スロットグループ３に属するＴＳ１及びＴＳ３のための読出イネーブル生成部２７−１及び２７−３にのみ与えられる。したがって、読出イネーブル生成部２７−１及び２７−３のみが、読出イネーブル信号の生成に使用するＣｍ値を、マスタスロットＴＳ１のために算出された値「１００」に更新し、その他の読出イネーブル生成部はＣｍ値を更新しない。
【００８９】
時刻ｔ３においてグループ選択信号がスロットグループ５を選択するとき、第２ＳＥＬ３３−５のみが第２の入力を選択し、その他のセレクタは第１の入力を選択する。この結果、第１出力線３２−１〜３２−４からはＣｍ１が出力され、その他の出力線３２−５〜３２−８０からは、マスタスロットＴＳ５のために算出されたＣｍ５である「３００」が出力される。
【００９０】
更新イネーブル信号は、スロットグループ５に属するＴＳ５及びＴＳ７９のための読出イネーブル生成部２７−５及び２７−７９にのみ与えられる。したがって、読出イネーブル生成部２７−５及び２７−７９のみが、読出イネーブル信号の生成に使用するＣｍ値を、マスタスロットＴＳ５のために算出された値「３００」に更新し、その他の読出イネーブル生成部はＣｍ値を更新しない。
【００９１】
グループ選択信号が一巡し、時刻ｔ４においてグループ選択信号がスロットグループ１を選択する。この間、マスタスロットＴＳ２のために算出されたＣｍ２は、参照符号１００にて示すように「５００」に変更されている。上述と同様に、第１出力線３２−１からはＣｍ１が出力され、その他の出力線３２−２〜３２−８０からは、マスタスロットＴＳ２のために算出されたＣｍ２である「５００」が出力される。読出イネーブル生成部２７−２、２７−４及び２７−８０が、読出イネーブル信号の生成に使用するＣｍ値を、マスタスロットＴＳ２のために算出された値「５００」に更新し、その他の読出イネーブル生成部はＣｍ値を更新しない。
【００９２】
時刻ｔ５においてグループ選択信号がスロットグループ３を選択する。時刻ｔ２〜ｔ５の間にＣｍ１の値に変化はない。この場合も、読出イネーブル生成部２７−１及び２７−３は、読出イネーブル信号の生成に使用するために保持するＣｍ値を、出力線３２−１及び３２−３から出力される値「１００」で上書きする。
【００９３】
本実施例によれば、カスケード接続で接続される一連のセレクタから同じＣｍ値が出力されるとき、グループ選択信号によって選択されていないトリビュタリースロットのための読出イネーブル生成部２７−ｉの更新を停止することができる。このため本実施例によれば、スロットグループに属するトリビュタリースロットのスロット番号が連続していなくても、Ｃｍ値をスロットグループ毎に分配する信号分配回路として信号分配回路３０を使用することができる。
【００９４】
以上の実施例を含む実施形態に関し、更に以下の付記を開示する。
【００９５】
（付記１）
第１〜第ｎ信号（ｎは自然数）がそれぞれ入力される第１〜第ｎ入力線と、
選択信号に応じて２入力の一方を各々選択する第１〜第（ｎ−１）選択部と、
前記第１信号が出力される第１出力線及び前記第１〜第（ｎ−１）選択部の出力信号がそれぞれ出力される第２〜第ｎ出力線と、を備え、
前記第１選択部の２入力中の第１の入力及び第２の入力には、前記第１信号及び前記第２信号がそれぞれ入力され、
前記第ｉ選択部（ｉは２〜（ｎ−１）の各整数）の２入力中の第１の入力及び第２の入力には、前記第（ｉ−１）選択部の出力信号及び前記第（ｉ＋１）信号がそれぞれ入力され、
各前記選択部は、前記選択信号により選択される場合に前記第２の入力を選択出力し、選択されない場合に前記第１の入力を選択出力する信号分配回路。
【００９６】
（付記２）
前記第１〜第ｎ信号の各々が属するグループを１つずつ順次選択するグループ選択信号を生成するグループ選択信号生成部を備え、
各前記選択部は、前記グループ選択信号によって選択されないグループに属する信号が前記第２の入力として入力される場合に、前記第１の入力を選択出力する付記１に記載の信号分配回路。
【００９７】
（付記３）
前記第１〜第ｎ信号は、それぞれ第１番目〜第ｎ番目のスロットに格納されるデータを、それぞれエラスティックストアメモリへ書き込むため又はエラスティックストアメモリから読み出すための制御信号である付記１に記載の信号分配回路。
【００９８】
（付記４）
前記第１〜第ｎ信号は、それぞれ第１番目〜第ｎ番目のスロットに格納されるデータを、それぞれエラスティックストアメモリへ書き込むための書込イネーブル信号のカウント数である付記３に記載の信号分配回路。
【００９９】
（付記５）
前記第１〜第ｎ信号は、それぞれ第１番目〜第ｎ番目のスロットに格納されるデータを、それぞれエラスティックストアメモリへ書き込むための書込イネーブル信号又は書込アドレス信号である付記３に記載の信号分配回路。
【０１００】
（付記６）
前記第１〜第ｎ信号は、それぞれ第１番目〜第ｎ番目のスロットに格納されるデータを、それぞれエラスティックストアメモリから読み出すための読出イネーブル信号又は読出アドレス信号である付記３に記載の信号分配回路。
【０１０１】
（付記７）
前記第１〜第ｎ信号は、それぞれ第１番目〜第ｎ番目のスロットに格納されるデータを、それぞれエラスティックストアメモリへ書き込むための書込イネーブル信号のカウント数である付記２に記載の信号分配回路。
【０１０２】
（付記８）
第１〜第ｎスロット（ｎは自然数）に格納されるデータをそれぞれ保持する第１〜第ｎエラスティックストアメモリと、
前記第１〜第ｎスロットに格納されるデータを前記第１〜第ｎエラスティックストアメモリへそれぞれ書き込むため又は前記第１〜第ｎエラスティックストアメモリからそれぞれ読み出すための制御信号である第１〜第ｎ信号を入力し、前記第１〜第ｎ信号を前記第１〜第ｎエラスティックストアメモリのために分配する信号分配部と、を備え、
前記信号分配部は、
前記第１〜第ｎ信号がそれぞれ入力される第１〜第ｎ入力線と、
選択信号に応じて２入力の一方を各々選択する第１〜第（ｎ−１）選択部と、
前記第１信号を前記第１エラスティックストアメモリのために出力する第１出力線及び前記第１〜第（ｎ−１）選択部の出力信号を第２〜第ｎエラスティックストアメモリのためにそれぞれ出力する第２〜第ｎ出力線と、を備え、
前記第１選択部の２入力中の第１の入力及び第２の入力には、前記第１信号及び前記第２信号がそれぞれ入力され、
前記第ｉ選択部（ｉは２〜（ｎ−１）の各整数）の２入力中の第１の入力及び第２の入力には、前記第（ｉ−１）選択部の出力信号及び前記第（ｉ＋１）信号がそれぞれ入力され、
各前記選択部は、前記選択信号により選択される場合に前記第２の入力を選択出力し、選択されない場合に前記第１の入力を選択出力する、スタッフィング制御装置。
【０１０３】
（付記９）
前記信号分配部は、前記第１番目〜第ｎ番目のスロットの各々が属するグループを１つずつ順次選択するグループ選択信号を生成するグループ選択信号生成部を備え、
各前記選択部は、前記グループ選択信号によって選択されないグループに属するスロットのための前記制御信号が前記第２の入力として入力される場合に、前記第１の入力を選択出力する付記８に記載のスタッフィング制御装置。
【０１０４】
（付記１０）
前記第１〜第ｎ信号は、それぞれ第１番目〜第ｎ番目のスロットに格納されるデータを、それぞれ前記第１〜第ｎエラスティックストアメモリへ書き込む書込イネーブル信号のカウント数である付記９に記載のスタッフィング制御装置。
【０１０５】
（付記１１）
前記第１〜第ｎエラスティックストアメモリの読出イネーブル信号をそれぞれ生成する第１〜第ｎ読出イネーブル信号生成部を備え、
前記第１〜第ｎ読出イネーブル信号生成部は、前記グループ選択信号が前記第１番目〜第ｎ番目のスロットが属するグループをそれぞれ選択する場合に、読出イネーブル信号の生成に使用する書き込みイネーブル信号のカウント数を、前記第１〜第ｎ出力線からそれぞれ出力される値に更新する、付記１０に記載のスタッフィング制御装置。
【符号の説明】
【０１０６】
１    伝送装置
２    クライアントＬＩＵ
３−Ｅ、３−Ｗ    ネットワークＬＩＵ
１１    マッピング部
２１    スタッフィング制御部
３０    信号分配回路
３１−１〜３１−ｎ    入力線
３２−１〜３２−ｎ    出力線
３３−１〜３３−ｎ    セレクタ
【図１】
0005630239.tif 000002
【図２】
0005630239.tif 000003
【図３】
0005630239.tif 000004
【図４】
0005630239.tif 000005
【図５】
0005630239.tif 000006
【図６】
0005630239.tif 000007
【図７】
0005630239.tif 000008
【図８】
0005630239.tif 000009
【図９】
0005630239.tif 000010
【図１０】
0005630239.tif 000011
【図１１】
0005630239.tif 000012
【図１２】
0005630239.tif 000013
【図１３】
0005630239.tif 000014